(57)【要約】【課題】ユーザが所望する位置でレジストレーションの調整をしやすくする。【解決手段】投影装置１００は、画像を投影する投影光学系１０３と、投影光学系１０３が投影する画像として、レジストレーション調整が可能な複数の基準調整点のうち少なくともいずれかの基準調整点の位置を示す調整画像を作成するレジストレーション調整部１０５と、複数の基準調整点からレジストレーション調整を行う基準調整点の選択操作を受け付ける制御部１０４と、を有し、レジストレーション調整部１０５は、選択操作が示す選択位置に基づいて、調整画像に含まれている基準調整点と異なる追加調整点を示す更新調整画像を作成することを特徴とする。【選択図】図１
2019024164.tif 000002
【特許請求の範囲】
【請求項１】
画像を投影する投影手段と、
前記投影手段が投影する前記画像として、レジストレーション調整が可能な複数の基準調整点のうち少なくともいずれかの基準調整点の位置を示す調整画像を作成する画像作成手段と、
前記複数の基準調整点からレジストレーション調整を行う基準調整点の選択操作を受け付ける操作受付手段と、
を有し、
前記画像作成手段は、前記選択操作が示す選択位置に基づいて、前記調整画像に含まれている基準調整点と異なる追加調整点を示す更新調整画像を作成することを特徴とする投影装置。
【請求項２】
前記画像作成手段は、前記操作受付手段が受けた前記選択操作により選択された前記基準調整点に対してレジストレーション調整が行われた後に、前記追加調整点を示す前記更新調整画像を作成することを特徴とする、
請求項１に記載の投影装置。
【請求項３】
前記画像作成手段は、前記操作受付手段が受けた前記選択操作により選択された前記基準調整点から所定の範囲内の複数の基準調整点の間に一以上の前記追加調整点を示す前記更新調整画像を作成することを特徴とする、
請求項１又は２に記載の投影装置。
【請求項４】
前記画像作成手段は、前記操作受付手段が受けた前記選択操作により選択された前記基準調整点の位置と、選択された前記基準調整点の隣の一以上の基準調整点の少なくともいずれかの位置との間に前記追加調整点を示す前記更新調整画像を作成することを特徴とする、
請求項３に記載の投影装置。
【請求項５】
前記操作受付手段は、選択された前記基準調整点の調整値の設定操作を受け付け、
前記画像作成手段は、前記設定操作が示す前記調整値に基づいて前記追加調整点の位置を決定することを特徴とする、
請求項１から４のいずれか一項に記載の投影装置。
【請求項６】
前記画像作成手段は、選択された前記基準調整点に対して前記調整値が示す側に前記追加調整点の位置を決定することを特徴とする、
請求項５に記載の投影装置。
【請求項７】
前記画像作成手段は、選択された前記基準調整点に対して前記調整値が示す側の反対側に前記追加調整点の位置を決定することを特徴とする、
請求項５に記載の投影装置。
【請求項８】
前記画像作成手段は、前記調整値が示す前記基準調整点の調整後の位置と、他の前記基準調整点との間に、前記追加調整点の位置を決定することを特徴とする、
請求項５から７のいずれか一項に記載の投影装置。
【請求項９】
前記操作受付手段は、前記追加調整点を追加する範囲の設定操作をさらに受け付け、
前記画像作成手段は、選択された前記基準調整点の位置に対して前記設定操作が示す範囲内に前記追加調整点を含む前記更新調整画像を作成することを特徴とする、
請求項１から８のいずれか一項に記載の投影装置。
【請求項１０】
前記画像作成手段は、レジストレーション調整が行われた複数の前記基準調整点の間に前記追加調整点を含む前記更新調整画像を作成することを特徴とする、
請求項１から９のいずれか一項に記載の投影装置。
【請求項１１】
前記画像作成手段は、前記複数の基準調整点のうち第１基準調整点に対してレジストレーション調整が行われた後に、前記第１基準調整点と異なる第２基準調整点に対してレジストレーション調整が行われると、前記第１基準調整点と前記第２基準調整点との間に前記追加調整点を含む前記更新調整画像を作成することを特徴とする、
請求項１０に記載の投影装置。
【請求項１２】
前記操作受付手段が、前記投影手段が前記更新調整画像を投影するための設定を受け付けたことを条件として、前記投影手段が投影中の前記調整画像を前記更新調整画像に更新させる制御手段をさらに有することを特徴とする、
請求項１から１１のいずれか一項に記載の投影装置。
【請求項１３】
前記操作受付手段は、選択された前記基準調整点の調整値の設定操作を受け付け、
前記画像作成手段は、前記調整値が設定された基準調整点の調整値が調整前の値に設定されると、当該基準調整点に基づいて決定された前記追加調整点を削除した前記更新調整画像を作成することを特徴とする、
請求項１から１２のいずれか一項に記載の投影装置。
【請求項１４】
コンピュータが実行する、
レジストレーション調整が可能な複数の基準調整点のうち少なくともいずれかの基準調整点の位置を示す調整画像を作成するステップと、
前記複数の基準調整点からレジストレーション調整を行う基準調整点の選択操作を受け付けるステップと、
前記選択操作が示す選択位置に基づいて、前記調整画像に含まれている基準調整点と異なる追加調整点を示す更新調整画像を作成するステップと、
を有することを特徴とするレジストレーション調整方法。
【発明の詳細な説明】
【技術分野】
【０００１】
本発明は、投影画像の色ずれを調整するための投影装置及びレジストレーション調整方法に関する。
【背景技術】
【０００２】
従来、投影画像の色ずれを調整するレジストレーション調整機能を備えた装置が知られている。特許文献１には、レジストレーションを調整する場合において、複数の調整点をまとめて調整する技術が開示されている。
【先行技術文献】
【特許文献】
【０００３】
【特許文献１】特開２００９−３１４４１号公報
【発明の概要】
【発明が解決しようとする課題】
【０００４】
近年、プロジェクタの高解像度化が進み、高精細な画像をプロジェクタに投影することが多くなっていることから、プロジェクタが画像を投影するときに発生する色ずれを抑制するレジストレーション調整を高精度に行うことが重要となってきている。しかし、利用者（以下、ユーザという）が、プロジェクタに備えられているレジストレーション調整機能を用いて投影画像の色ずれを調整する場合、プロジェクタに搭載されている液晶パネルの全ての画素を調整することは困難である。そのため、ユーザが調整しやすいように調整可能な単位をある程度大きく設定する必要がある。一方で、調整可能単位が大きすぎると細かな色ずれを調整することができないので、レジストレーション調整で調整可能な単位を適切に設定することが重要である。
【０００５】
特許文献１のような従来技術を用いることで、所定の調整可能単位において、複数の調整点をまとめて調整することが可能である。しかしながら、従来技術においては、ユーザがより細かくレジストレーションを調整したい場合に、ユーザがレジストレーションを調整したいと考える位置でレジストレーションを調整することが困難であった。
【０００６】
そこで、本発明はこれらの点に鑑みてなされたものであり、ユーザが所望する位置でレジストレーションの調整をしやすくするための投影装置及びレジストレーション調整方法を提供することを目的とする。
【課題を解決するための手段】
【０００７】
本発明の第１態様に係る投影装置は、画像を投影する投影手段と、前記投影手段が投影する前記画像として、レジストレーション調整が可能な複数の基準調整点のうち少なくともいずれかの基準調整点の位置を示す調整画像を作成する画像作成手段と、前記複数の基準調整点からレジストレーション調整を行う基準調整点の選択操作を受け付ける操作受付手段と、を有し、前記画像作成手段は、前記選択操作が示す選択位置に基づいて、前記調整画像に含まれている基準調整点と異なる追加調整点を示す更新調整画像を作成することを特徴とする。
【０００８】
本発明の第２態様に係るレジストレーション調整方法は、コンピュータが実行する、レジストレーション調整が可能な複数の基準調整点のうち少なくともいずれかの基準調整点の位置を示す調整画像を作成するステップと、前記複数の基準調整点からレジストレーション調整を行う基準調整点の選択操作を受け付けるステップと、前記選択操作が示す選択位置に基づいて、前記調整画像に含まれている基準調整点と異なる追加調整点を示す更新調整画像を作成するステップと、を有することを特徴とする。
【発明の効果】
【０００９】
本発明によれば、ユーザが所望する位置でレジストレーションの調整をしやすくすることができるという効果を奏する。
【図面の簡単な説明】
【００１０】
【図１】第１実施形態に係る投影装置の構成を示す図である。
【図２】第１実施形態に係る投影装置から投影された調整用画像の一例を示す図である。
【図３】第１実施形態に係る調整画像及び更新調整画像の一例を示す図である。
【図４】第１実施形態に係る更新調整画像の一例を示す図である。
【図５】第１実施形態に係る更新調整画像の一例を示す図である。
【図６】第１実施形態に係る更新調整画像の一例を示す図である。
【図７】第１実施形態に係る投影装置がレジストレーションを調整する処理の流れを示すフローチャートである。
【図８】第２実施形態に係る更新調整画像の一例を示す図である。
【図９】第２実施形態に係る投影装置がレジストレーションを調整する処理の流れを示すフローチャートである。
【図１０】第２実施形態に係る更新調整画像の一例を示す図である。
【発明を実施するための形態】
【００１１】
＜第１実施形態＞
［投影装置１００の構成］
図１は、第１実施形態に係る投影装置１００の構成を示す図である。投影装置１００は、例えば透過型液晶パネルを用いたプロジェクタ、ＤＬＰ（Digital Light Processing）、ＬＣＯＳ（Liquid Crystal On Silicon：反射型液晶）パネル等の表示デバイスを用いたプロジェクタである。投影装置１００は、映像信号受信部１０１、映像処理部１０２、投影光学系１０３、制御部１０４、及びレジストレーション調整部１０５を有する。
【００１２】
映像信号受信部１０１は、外部装置から入力された映像信号を受信するインターフェース群である。映像信号受信部１０１は、例えば、コンポジット、コンポーネント、ＤＶＩ−Ｄ、及びＨＤＭＩ（High-Definition Multimedia Interface）（登録商標）を有する。
【００１３】
映像処理部１０２は、制御部１０４に設定されている投影画像の色、コントラスト、及びブライトネス等の画質を調整する画質調整パラメータに基づいて、映像信号受信部１０１が受信した映像信号を補正する。また、映像処理部１０２は、補正した映像信号、及びレジストレーション調整部１０５から出力されるレジストレーション調整画像を重畳して投影画像を生成する。映像処理部１０２は、制御部１０４の指示に応じて、メニュー表示又はマーカー表示等の画像をさらに重畳して投影画像を生成する。
【００１４】
投影光学系１０３は、映像処理部１０２が生成した投影画像をスクリーンに投影する投影手段である。
制御部１０４は、例えばＣＰＵ（Central Processing Unit）であり、不図示のＲＯＭ（Read Only Memory）に記憶されたプログラムを実行することにより、操作受付手段として機能する。制御部１０４は、外部から入力された操作信号に基づいて、画質調整及びレジストレーション調整を制御する。操作信号は、例えば、リモコン又は投影装置１００に備えるボタンの操作によって入力される、ユーザからの指示を示す信号である。制御部１０４は、ユーザの操作によって設定された画質調整パラメータを保持する。
【００１５】
レジストレーション調整部１０５は、レジストレーション調整を実行し、また、レジストレーション調整値を保持する。レジストレーション調整は、投影光学系の三原色（赤色、緑色、及び青色）間の収差、及びパネルの組み付け等のばらつきに起因するレジストレーションずれを調整することである。レジストレーション調整値は、三原色の色ごとにレジストレーションを調整するためにユーザの操作によって入力されるパラメータである。レジストレーション調整部１０５は、調整値保持部１０６及び調整点描画部１０７を有する。
【００１６】
調整値保持部１０６は、制御部１０４の指示に応じて、ユーザの操作によって入力されたレジストレーションの調整値を保持する。調整値保持部１０６は、例えばＥＥＰＲＯＭ（Electrically Erasable Programmable Read Only Memory）又はＲＡＭ（Random Access Memory）に調整値を保持する。
【００１７】
調整点描画部１０７は、制御部１０４の指示に応じて、レジストレーションの調整可能単位及び調整範囲を示す調整用画像を描画する画像作成手段である。調整点描画部１０７は、調整用画像に基づいてユーザの操作によって入力された調整可能単位及び調整範囲に対して、レジストレーション調整用の画面を描画する。調整点描画部１０７は、例えばＣＰＵを有しており、制御部１０４と連動して動作する。
【００１８】
［レジストレーション調整時の動作］
以下、レジストレーション調整時の動作について説明する。図２は、第１実施形態に係る投影装置１００から投影された調整用画像の一例を示す図である。ユーザがレジストレーション調整機能を起動する操作をすると、まず、制御部１０４は、ユーザの操作入力を受け付け、調整点描画部１０７にレジストレーション調整を行うための調整画像１１０の作成を指示する。
【００１９】
そして、図２に示すように、調整点描画部１０７は、制御部１０４の指示に応じて、レジストレーション調整が可能な複数の基準調整点のうち少なくともいずれかの基準調整点の位置を示す調整画像１１０を作成する。ここで、基準調整点は、図２に示す縦及び横の実線が交わる位置である。ユーザは、調整画像１１０に基づいて、レジストレーション調整を行いたい基準調整点をカーソル１１１で選択する。
【００２０】
制御部１０４は、更新調整画像を投影するための設定を受け付けたことを条件として、投影光学系１０３が投影中の調整画像を更新調整画像に更新させる制御をする。具体的には、まず、制御部１０４は、調整画像を投影中に、複数の基準調整点からレジストレーション調整を行う基準調整点の選択操作を受け付ける。そして、制御部１０４は、選択操作が示す位置に基づいて、基準調整点と異なる追加調整点を示す更新調整画像を調整点描画部１０７に作成させる。例えば、制御部１０４は、選択操作において選択された基準調整点においてレジストレーション調整が行われると、レジストレーション調整を行うための更新調整画像の作成を調整点描画部１０７に指示する。
【００２１】
調整点描画部１０７は、制御部１０４から更新調整画像を作成する指示を受けると、選択操作が示す選択位置に基づいて更新調整画像を作成する。調整点描画部１０７は、例えば、制御部１０４が受けた選択操作により選択された基準調整点に対してレジストレーション調整が行われた後に、追加調整点を示す更新調整画像を作成する。
【００２２】
具体的には、調整点描画部１０７は、制御部１０４が受けた選択操作により選択された基準調整点から所定の範囲内の複数の基準調整点の間に複数の追加調整点を示す更新調整画像を作成する。より具体的には、調整点描画部１０７は、制御部１０４が受けた選択操作により選択された基準調整点の位置と、選択された基準調整点の隣の一以上の基準調整点の少なくともいずれかの位置との間に追加調整点を示す更新調整画像を作成する。例えば、調整点描画部１０７は、レジストレーション調整が行われた基準調整点の位置と、レジストレーション調整が行われた基準調整点の隣の一以上の基準調整点の少なくともいずれかの位置との間に追加調整点を示す更新調整画像を作成する。
【００２３】
図３は、第１実施形態に係る調整画像及び更新調整画像の一例を示す図である。ダイアログ１１２は、カーソル１１１が位置する基準調整点の調整値を示している。ユーザは、図３（ａ）に示す調整画像１１０ａにおいて、カーソル１１１が位置する基準調整点を選択し、ダイアログ１１２に示す赤色の調整値を変更したとする。調整点描画部１０７は、制御部１０４の指示に応じて、調整値が変更された基準調整点と、当該基準調整点の隣の基準調整点である１１４ａ、１１５ａ、１１６ａ、及び１１７ａとの間にそれぞれ追加調整点を追加した更新調整画像１１０ｂを作成する。
【００２４】
具体的には、図３（ｂ）に示すように、調整点描画部１０７は、調整値が変更された基準調整点（すなわちカーソル１１１の位置の基準調整点）と基準調整点１１４ａとの間に追加調整点１１４ｂを追加する。同様に、調整点描画部１０７は、調整値が変更された基準調整点と基準調整点１１５ａとの間に追加調整点１１５ｂを、調整値が変更された基準調整点と基準調整点１１６ａとの間に追加調整点１１６ｂを、調整値が変更された基準調整点と基準調整点１１７ａとの間に追加調整点１１７ｂを追加する。
【００２５】
そして、調整点描画部１０７は、追加調整点１１４ｂから追加調整点１１７ｂを含む更新調整画像１１０ｂを作成する。ここで、追加調整点は、図３（ｂ）に示す縦及び横の破線と破線、又は破線と実線が交わる位置である。ユーザは、更新調整画像１１０ｂの基準調整点及び追加調整点に基づいて、さらにレジストレーション調整を行いたい位置を選択する。このようにレジストレーションを調整する度に調整可能単位を細かくすることで、ユーザは、より詳細にレジストレーション調整をすることができる。
【００２６】
投影装置１００は、ユーザの操作によってレジストレーションの調整可能単位及び調整範囲を変化させることができる。例えば、制御部１０４が選択された基準調整点の調整値の設定操作を受け付けると、調整点描画部１０７は、設定操作が示す調整値に基づいて追加調整点の位置を決定する。具体的には、調整点描画部１０７は、選択された基準調整点に対して調整値が示す側に追加調整点の位置を決定する。
【００２７】
図４は、第１実施形態に係る更新調整画像の一例を示す図である。図４に示す更新調整画像１１０ｃにおいて、カーソル１１１が位置する基準調整点の調整値が、ダイアログ１１２に示すように変更されたとする。この場合、赤色の調整値が右上方向に調整されていることから、調整点描画部１０７は、調整値が変更された基準調整点と、右上に位置する基準調整点との間に追加基準点１１４ｃを追加する。
【００２８】
調整点描画部１０７は、選択された基準調整点に対して調整値が示す側の反対側に追加調整点の位置を決定してもよい。この場合、図４に示す更新調整画像１１０ｃにおいて、調整点描画部１０７は、調整値が変更された調整基準点と、右上の反対方向である左下に位置する調整基準点との間に追加調整点を追加する。このように、基準調整点に対して調整値に対応する側に限定して追加調整点の位置を決定することで、投影装置１００は、追加調整点が必要以上に増えてしまい、更新調整画像が見づらくなることを抑止することができる。
【００２９】
調整点描画部１０７は、調整値が示す基準調整点の調整後の位置と、他の基準調整点との間に、追加調整点の位置を決定してもよい。図５は、第１実施形態に係る更新調整画像の一例を示す図である。図５に示す更新調整画像１１０ｄにおいて、カーソル１１１が位置する基準調整点の調整値が、ダイアログ１１２に示すように変更されたとする。ここで、各基準調整点の間隔は、＋１０であるとする。
【００３０】
この場合において、赤色の調整値が右方向に＋６調整されていることから、調整点描画部１０７は、調整値が変更された基準調整点から＋６の位置１１３ｄと、右隣の基準調整点との間に追加調整点１１４ｄを追加する。このようにユーザが設定した調整値に応じて追加調整点を追加することで、ユーザの意向に即した調整可能単位でレジストレーション調整を行うことができる。
【００３１】
また、例えば、制御部１０４が追加調整点を追加する範囲の設定操作をさらに受け付けると、調整点描画部１０７は、選択された基準調整点の位置に対して設定操作が示す範囲内に追加調整点を含む更新調整画像を作成する。図６は、第１実施形態に係る更新調整画像の一例を示す図である。図６に示す更新調整画像１１０ｅにおいて、カーソル１１１が位置する基準調整点の調整値が変更されたとする。また、調整範囲枠１３０ｅは、調整値が変更された基準調整点の位置から、基準調整点２つ分の範囲が設定されたとする。調整範囲枠１３０ｅは、調整値が変更された基準調整点の位置に対して、設定操作によって指定された範囲である。
【００３２】
この場合、調整点描画部１０７は、調整範囲枠１３０ｅの範囲内において、１１４ｅから１２２ｅの追加調整点を追加する。このようにユーザが設定した範囲内において追加調整点を追加することで、広範囲に調整をしたい場合、又は局所的に調整をしたい場合等、ユーザが求める調整可能単位及び調整範囲に応じてレジストレーション調整を行うことができる。
【００３３】
また、調整点描画部１０７は、調整値が設定された基準調整点の調整値が調整前の値に設定されると、当該基準調整点に基づいて決定された追加調整点を削除した前記更新調整画像を作成してもよい。例えば、ユーザが、図３（ｂ）のカーソル１１１に位置する基準調整点の調整値を０にしたとする。この場合、調整点描画部１０７は、当該基準調整点の周囲に追加された基準調整点１１４ｂ、１１５ｂ、１１６ｂ、及び１１７ｂを削除して、図３（ａ）に示す調整画像１１０ａを作成する。このように調整可能単位を削除することで、追加調整点が増え過ぎることによる煩雑さを防ぐことができる。
【００３４】
［レジストレーションを調整する処理］
以下、投影装置１００の処理の流れについて説明する。図７は、第１実施形態に係る投影装置１００がレジストレーションを調整する処理の流れを示すフローチャートである。本フローチャートは、ユーザによってレジストレーション調整機能を起動する操作が入力されることを契機として開始する。
【００３５】
ステップＳ１０において、制御部１０４は、レジストレーション調整機能を起動する操作が入力されたかを判定する。制御部１０４は、レジストレーション調整機能を起動する操作が入力されていないと判定した場合、レジストレーション調整機能を起動する操作が入力されるまで待機する。
【００３６】
反対に、制御部１０４は、レジストレーション調整機能を起動する操作が入力されたと判定した場合、ステップＳ２０において、映像処理部１０２によって生成された調整画像を含む投影画像をスクリーンに投影させる。具体的には、まず、調整点描画部１０７は、制御部１０４の指示に基づいて、調整画像を作成し、映像処理部１０２に出力する。次に、映像処理部１０２は、補正した映像信号及び調整画像を重畳した投影画像を生成し、投影光学系１０３に出力する。そして、投影光学系１０３は、投影画像をスクリーンに投影する。
【００３７】
続いて、ステップＳ３０において、制御部１０４は、レジストレーション調整が実行されたかを判定する。具体的には、制御部１０４は、基準調整点の調整値が変更されて、レジストレーション調整を開始する操作が行われたかを判定する。ステップＳ３０において、制御部１０４が、レジストレーション調整が実行されたと判定した場合、調整点描画部１０７は、調整値が変更された基準調整点に基づいて追加調整点の位置を決定する。具体的には、調整点描画部１０７は、制御部１０４の指示に基づいて、追加調整点を示す更新調整画像を作成し、処理をステップＳ２０に戻す。
【００３８】
制御部１０４は、ステップＳ３０においてレジストレーション調整が実行されていないと判定した場合、ステップＳ５０において、レジストレーション調整が終了したかを判定する。具体的には、制御部１０４は、レジストレーション調整機能を停止する操作が行われたかを判定する。制御部１０４は、レジストレーション調整が終了したと判定した場合、レジストレーション調整機能を停止する。反対に、制御部１０４は、レジストレーション調整が終了していないと判定した場合、処理をステップＳ３０に戻す。制御部１０４は、レジストレーション調整が終了するまで、ステップＳ２０からステップＳ５０までの処理を繰り返す。
【００３９】
［第１実施形態における効果］
以上説明したとおり、第１実施形態に係る投影装置１００は、調整画像に基づいてレジストレーション調整を実行した後、調整値が変更された基準調整点に基づいて追加調整点を示す更新調整画像を投影させる。このようにすることで、投影装置１００は、ユーザが所望する位置でレジストレーションの調整をしやすくすることができる。その結果、ユーザは、より細かくレジストレーション調整を行うことができる。
【００４０】
＜第２実施形態＞
［レジストレーション調整された複数の基準調整点の間に追加調整点を追加する］
続いて、第２実施形態について説明する。第１実施形態に係る投影装置１００は、調整値を変更した１つの基準調整点に基づいて追加調整点を設けた。これに対して、第２実施形態に係る投影装置１００は、１つの基準調整点の調整値を変更しただけでは追加調整点を設けず、２つの基準調整点の調整値が変更された場合に、当該２つの基準調整点の間に追加調整点を設ける点で異なる。以下、第１実施形態と異なる部分について説明を行う。第１実施形態と同じ部分については適宜説明を省略する。
【００４１】
図８は、第２実施形態に係る更新調整画像の一例を示す図である。ユーザは、図８（ａ）に示す更新調整画像１１０ｆにおいて、カーソル１１１が位置する基準調整点を選択し、調整値を変更したとする。ここで、図８に示す四角点は、既に調整値が変更されている基準調整点である。
【００４２】
調整点描画部１０７は、レジストレーション調整が行われた複数の基準調整点である第１基準調整点と第２基準調整点との間に追加調整点を含む更新調整画像を作成する。具体的には、調整点描画部１０７は、第１基準調整点に対してレジストレーション調整が行われた後に、第１基準調整点と異なる第２基準調整点に対してレジストレーション調整が行われると、第１基準調整点と第２基準調整点との間に追加調整点を含む更新調整画像を作成する。図８（ｂ）に示すように、調整点描画部１０７は、調整値が変更された基準調整点と既に調整値が変更されている基準調整点１１４ｆとの間に追加調整点１１５ｇを追加した更新調整画像１１０ｇを作成する。
【００４３】
図９は、第２実施形態に係る投影装置１００がレジストレーションを調整する処理の流れを示すフローチャートである。図９に示すＳ１０からＳ５０は、図７に示すＳ１０からＳ５０に対応する。制御部１０４は、ユーザの設定操作により基準調整点に対するレジストレーション調整が行われると、ステップＳ３０においてレジストレーション調整が実行されたと判定する。
【００４４】
続いて、調整点描画部１０７は、ステップＳ１１０において、他の基準調整点が調整されているかを判定する。具体的には、調整点描画部１０７は、調整値保持部１０６が保持する調整値が変更されている基準調整点が存在するかを判定する。
【００４５】
調整点描画部１０７は、レジストレーション調整が行われた他の基準調整点が存在すると判定した場合、ステップＳ１２０において、複数の基準調整点に基づいて追加調整点の位置を決定する。反対に、調整点描画部１０７は、レジストレーション調整が行われた他の基準調整点が存在しないと判定した場合、追加調整点の位置を決定せずに処理をステップＳ２０に戻す。
【００４６】
調整点描画部１０７は、追加調整点の位置を、ユーザの設定操作に基づいて決定してもよい。図１０は、第２実施形態に係る更新調整画像の一例を示す図である。例えば、ユーザが、追加調整点の周囲に更に追加調整点を追加する設定操作を行ったとする。また、図１０に示す更新調整画像１１０ｈにおいて、カーソル１１１が位置する基準調整点の調整値が変更されたとする。
【００４７】
この場合において、図１０に示すように、調整点描画部１０７は、制御部１０４の指示に応じて、調整値が変更された基準調整点と、既に調整値が変更されている基準調整点１１４ｈとの間に追加調整点１１５ｈを追加する。更に、調整点描画部１０７は、ユーザの設定操作に基づいて、追加調整点１１５ｈの周囲に追加調整点１１６ｈ及び１１７ｈを設けた更新調整画像１１０ｈを作成する。このようにユーザが設定した追加調整点の位置に応じて追加調整点を追加することで、ユーザの意向に即した調整可能単位でレジストレーション調整を行うことができる。
【００４８】
また、本実施形態における追加調整点を追加する位置は、レジストレーション調整が行われた複数の基準調整点の間であればよく、中間点又は任意の位置をユーザの設定操作により決めることができる。また、本実施形態においては、レジストレーション調整が行われた複数の基準調整点の間に追加調整点を設けたが、これに限らない。例えば、レジストレーション調整が行われた基準調整点と追加調整点との間にさらに追加調整点を設けてもよい。
【００４９】
［第２実施形態における効果］
以上説明したとおり、第２実施形態に係る投影装置１００は、レジストレーション調整が行われた複数の基準調整点又は追加調整点の間に追加調整点を追加する。このようにユーザが更にレジストレーション調整を行う可能性が高い位置に追加調整点を追加することで、投影装置１００は、追加調整点が増えることによる煩雑さを抑止しつつ、より細かいレジストレーション調整を行うことができる。
【００５０】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【００５１】
例えば、以上の説明においては調整画像又は追加調整用画像をスクリーンに投影させる例を示したが、当該画像を投影せずに基準調整点又は追加調整点を選択できるようにしてもよい。この場合、制御部１０４は、カーソルを基準調整点又は追加調整点の位置に合わせて移動できるよう制御する。
【００５２】
また、例えば、レジストレーション調整を行った後に追加調整点を設けた追加調整用画像を投影させる例を示したが、制御部１０４は、ユーザの設定操作に応じて、追加調整用画像を投影させるかを選択できるようにしてもよい。
【００５３】
なお、以上の説明においては、調整点描画部１０７は、レジストレーション調整が行われた基準調整点と、当該基準調整点の隣の基準調整点との間に追加調整点を追加した更新調整画像を作成する例を示した。これに対して、調整点描画部１０７は、レジストレーション調整をする対象となる基準調整点が選択された時点で、選択された基準調整点と、当該基準調整点の隣の基準調整点との間に追加調整点を追加した更新調整画像を作成してもよい。
【符号の説明】
【００５４】
１００  投影装置
１０３  投影光学系
１０４  制御部
１０５  レジストレーション調整部
【図１】
2019024164.tif 000003
【図２】
2019024164.tif 000004
【図３】
2019024164.tif 000005
【図４】
2019024164.tif 000006
【図５】
2019024164.tif 000007
【図６】
2019024164.tif 000008
【図７】
2019024164.tif 000009
【図８】
2019024164.tif 000010
【図９】
2019024164.tif 000011
【図１０】
2019024164.tif 000012